(57)【特許請求の範囲】
【請求項１】
広帯域な光から特定のスペクトルを中心に所定のスペクトル幅にスペクトルスライス光として切り出すスペクトルを含む光を送信信号で変調する光変調器と、
前記スペクトルスライス光として切り出すスペクトルを含む光を、前記スペクトル幅以下の周期で繰り返す送信透過特性で濾波して所定のスペクトル幅に複数の濾波スペクトルを持つ濾波光群とし、前記濾波光群からなる送信信号光を出力するとともに、前記送信信号光と濾波スペクトルが相補関係にある前記濾波光群からなる受信信号光を前記送信透過特性と相補関係にある受信透過特性で濾波する濾波器と、
前記濾波器で濾波された前記受信信号光を検波して受信信号を再生する検波器と、
を備える光送受信装置。
【請求項２】
広帯域な光から特定のスペクトルを中心に所定のスペクトル幅にスペクトルスライス光として切り出すスペクトルを含む光を送信信号で変調する光変調器と、
前記スペクトルスライス光として切り出すスペクトルを含む光を、前記スペクトル幅以下の周期で繰り返す送信透過特性で濾波した送信信号光を出力するとともに、前記送信信号光とスペクトルが相補関係にある受信信号光を前記送信透過特性と相補関係にある受信透過特性で濾波する濾波器と、
前記濾波器で濾波された前記受信信号光を検波して受信信号を再生する検波器と、
を備える光送受信装置であって、
前記濾波器は、前記受信信号光を前記受信透過特性で濾波した出力に加え、前記受信信号光を前記送信透過特性で濾波した出力を別途出力し、
前記検波器は、前記濾波器からの前記受信透過特性で濾波した出力と前記送信透過特性で濾波した出力をそれぞれ検波しており、
前記検波器がそれぞれ検波した出力が入力され、前記受信透過特性で濾波した出力を検波した信号から位相及び強度を調整した前記送信透過特性で濾波した出力を検波した信号を減ずることで、前記受信透過特性で濾波した出力を検波した信号に含まれる前記送信信号光の反射成分、前記送信信号光の反射と前記受信信号光とのビート成分、又は前記反射成分と前記ビート成分の組合せの強度を減ずる加減算器をさらに備えることを特徴とする光送受信装置。
【請求項３】
広帯域な光から特定のスペクトルを中心に所定のスペクトル幅にスペクトルスライス光として切り出すスペクトルを含む光を送信信号で変調する光変調器と、
前記スペクトルスライス光として切り出すスペクトルを含む光を、前記スペクトル幅以下の周期で繰り返す送信透過特性で濾波した送信信号光を出力するとともに、前記送信信号光とスペクトルが相補関係にある受信信号光を前記送信透過特性と相補関係にある受信透過特性で濾波する濾波器と、
前記濾波器で濾波された前記受信信号光を検波して受信信号を再生する検波器と、
を備える光送受信装置であって、
前記濾波器が前記送信信号光を出力した後、前記送信信号光の反射を受信するまでの反射時間だけ前の前記送信信号光の反射の光強度の比に対応する係数を乗した送信信号を、前記検波器の出力から減算する加減算器をさらに備えることを特徴とする光送受信装置。
【請求項４】
請求項１から３のいずれかに記載の複数の光送受信装置と、
それぞれの前記光送受信装置から送信される前記送信信号光を異なるスペクトルで合波して伝送路に結合し、前記伝送路を伝搬してきた波長分割多重光を、前記光送受信装置毎にスペクトルの異なる前記受信信号光に分波して前記光送受信装置に結合する合分波装置と、
を備える光通信システム。
【請求項５】
広帯域な光から特定のスペクトルを中心に所定のスペクトル幅にスペクトルスライス光として切り出すスペクトルを含む光を送信信号で変調する光変調器と、
前記スペクトルスライス光として切り出すスペクトルを含む光を、前記スペクトル幅以下の周期で繰り返す送信透過特性で濾波して所定のスペクトル幅に複数の濾波スペクトルを持つ濾波光群とし、前記濾波光群からなる送信信号光を出力する濾波器と、
前記濾波器で濾波された前記受信信号光を検波して受信信号を再生する検波器と、
を備える光通信システム。
【請求項６】
広帯域な光から特定のスペクトルを中心に所定のスペクトル幅にスペクトルスライス光として切り出すスペクトルを含む光を送信信号で変調し、前記特定のスペクトルを中心に所定のスペクトル幅にスペクトルスライス光として切り出すスペクトルを含む光は、前記スペクトル幅以下の周期で繰り返す送信透過特性で濾波して所定のスペクトル幅に複数の濾波スペクトルを持つ濾波光群とし、前記濾波光群からなる送信信号光であり、互いにスペクトルが異なる複数の前記送信信号光を伝送路に合波するとともに、
前記伝送路を伝搬してきた前記送信信号光の少なくとも前記スペクトル幅の範囲で相補関係にある波長分割多重光を、互いにスペクトルが異なる複数の受信信号光に分波し、それぞれの前記受信信号光を前記送信透過特性と濾波スペクトルが相補関係にある受信透過特性で濾波した後に検波して受信信号を再生する光通信方法。
【請求項７】
広帯域な光から特定のスペクトルを中心に所定のスペクトル幅にスペクトルスライス光として切り出すスペクトルを含む光を送信信号で変調し、前記特定のスペクトルを中心に所定のスペクトル幅にスペクトルスライス光として切り出すスペクトルを含む光は、前記スペクトル幅以下の周期で繰り返す送信透過特性で濾波した送信信号光であり、互いにスペクトルが異なる複数の前記送信信号光を伝送路に合波するとともに、
前記伝送路を伝搬してきた前記送信信号光の少なくとも前記スペクトル幅の範囲で相補関係にある波長分割多重光を、互いにスペクトルが異なる複数の受信信号光に分波し、それぞれの前記受信信号光を前記送信透過特性と相補関係にある受信透過特性で濾波した後に検波して受信信号を再生する光通信方法であって、
前記受信透過特性で濾波した出力に加え前記送信透過特性で濾波した出力を別途出力し、前記受信透過特性で濾波した出力と前記送信透過特性で濾波した出力をそれぞれ検波し、前記受信透過特性で濾波した出力を検波した信号から位相及び強度を調整した前記送信透過特性で濾波した出力を検波した信号を減ずることで、前記受信透過特性で濾波した出力を検波した信号に含まれる前記送信信号光の反射成分、前記送信信号光の反射と前記受信信号光とのビート成分、又は前記反射成分と前記ビート成分の組合せの強度を減ずることを特徴とする光通信方法。
【請求項８】
広帯域な光から特定のスペクトルを中心に所定のスペクトル幅にスペクトルスライス光として切り出すスペクトルを含む光を送信信号で変調し、前記特定のスペクトルを中心に所定のスペクトル幅にスペクトルスライス光として切り出すスペクトルを含む光は、前記スペクトル幅以下の周期で繰り返す送信透過特性で濾波した送信信号光であり、互いにスペクトルが異なる複数の前記送信信号光を伝送路に合波するとともに、
前記伝送路を伝搬してきた前記送信信号光の少なくとも前記スペクトル幅の範囲で相補関係にある波長分割多重光を、互いにスペクトルが異なる複数の受信信号光に分波し、それぞれの前記受信信号光を前記送信透過特性と相補関係にある受信透過特性で濾波した後に検波して受信信号を再生する光通信方法であって、
前記送信信号光を出力した後、前記送信信号光の反射光を受信するまでの反射時間だけ前の前記送信信号光の反射の光強度の比に対応する係数を乗した送信信号を、検波した出力から減算することを特徴とする光通信方法。
【発明の詳細な説明】
【技術分野】
【０００１】
本発明は、スペクトルスライス光を利用する波長分割多重（ＷＤＭ：Ｗａｖｅｌｅｎｇｔｈ  Ｄｉｖｉｓｉｏｎ  Ｍｕｌｔｉｐｌｅｘｉｎｇ）伝送で用いられる光送受信装置、光通信システム及び光通信方法に関する。
【背景技術】
【０００２】
光アクセスネットワークにおける伝送容量を増大するために、１本の光ファイバに波長の異なる光信号を多重して伝送するＷＤＭ伝送システムが検討されている。このシステムを実現する方式として、複数の送信器毎に異なる波長の光を出力する光源を備える方式が考えられるが、多品種の送信器が必要となり、経済性・保守運用性の面で課題がある。そこで、送信器の単一品種化を実現し、経済性・保守運用性を向上できる方式として単一品種のスペクトルの広い広帯域な光源からの光を送信機毎に異なるスペクトルをスライスしたスペクトルスライス光を用いたＷＤＭ伝送方式が検討されている。
【０００３】
スペクトルスライス光を用いたＷＤＭ伝送システムは、例えば図１に示すように、広帯域な光源、例えば自然放出光（ＡＳＥ：Ａｍｐｌｉｆｉｅｄ  Ｓｐｏｎｔａｎｅｏｕｓ  Ｅｍｉｓｓｉｏｎ）を光信号として送信する複数の送信機１１と、光信号を伝送する伝送路１２と、伝送路を介して到着する複数の送信機１１からの光信号を光送信機毎に異なるスペクトルでスライスして合分波して多重分離（ＭＵＸ／ＤＭＵＸ）する光合分波器（例えば、ＡＷＧ：Ａｒｒａｙｅｄ  Ｗａｖｅｇｕｉｄｅ  Ｇｒａｔｉｎｇ）１３と、光合分波器１３で合波した波長分割多重信号を伝送する伝送路１４と、伝送路１４を介して伝送された波長分割多重信号を分波する合分波器１５と、合分波器１５により分波された各信号を受信する複数の受信機１６から構成される。
【０００４】
スペクトルスライス光信号に要求されるスペクトル半値全幅Δｆ［Ｈｚ］は、雑音電力がスペクトルスライス光を構成する自然放出光同士のビート雑音が支配的であるとし、ショット雑音や熱雑音などの雑音を無視した場合、特許文献１に示されるように次式で示される。
Δｆ≧Ｂｅ×ＳＮＲ／（２ｍｐ）
ここで、Ｂｅは受信機の電気帯域幅、ＳＮＲは信号電力対雑音電力比、ｍｐは偏波に関する定数である。ｍｐの値は、例えば、偏波の数で、片偏波の場合は１で両偏波の場合は２である。
【０００５】
ＳＮＲとして、符号誤り率１０−１２を実現する２３ｄＢ（デシベル表示をしない場合は１９９．５。）以上とし、Ｂｅとして信号の伝送速度１０［Ｇｂｉｔ／ｓ］に対応として７．５ＧＨｚとすると、Δｆは、３７４ＧＨｚ（１５５０ｎｍ帯で３．０ｎｍ）より広くする必要がある。
【先行技術文献】
【特許文献】
【０００６】
【特許文献１】特開２００２−３１４５０７号公報
【発明の概要】
【発明が解決しようとする課題】
【０００７】
このように、スペクトルスライス光を用いたＷＤＭ伝送方式は、Δｆを狭くすることができないため、スペクトル利用効率を高めることが困難するという課題があった。
【０００８】
そこで、上記課題を解決するために、本発明は、スペクトルスライス光を用いたＷＤＭ伝送方式において、スペクトル利用効率を高めることが可能な光送受信装置、光通信システム及び光通信方法を提供することを目的とする。
【課題を解決するための手段】
【０００９】
上記目的を達成するために、本発明に係る光送受信装置、光通信システム及び光通信方法は、送受信機の内部又はそれらの間に設置した濾波器でスペクトルスライス光をさらにスペクトルインターリーブで細かくスライスし、スライスした一群の信号光を用いることでスペクトル利用効率を高めることこととした。
【００１０】
具体的には、本発明に係る光送受信装置は、広帯域な光から特定のスペクトルを中心に所定のスペクトル幅にスペクトルスライス光として切り出すスペクトルを含む光を送信信号で変調する光変調器と、前記スペクトルスライス光として切り出すスペクトルを含む光を、前記スペクトル幅以下の周期で繰り返す送信透過特性で濾波した送信信号光を出力するとともに、前記送信信号光とスペクトルが相補関係にある受信信号光を前記送信透過特性と相補関係にある受信透過特性で濾波する濾波器と、前記濾波器で濾波された前記受信信号光を検波して受信信号を再生する検波器と、を備える。
【００１１】
また、本発明に係る光通信システムは、複数の前記光送受信装置と、それぞれの前記光送受信装置から送信される前記送信信号光を異なるスペクトルで合波して伝送路に結合し、前記伝送路を伝搬してきた波長分割多重光を、前記光送受信装置毎にスペクトルの異なる前記受信信号光に分波して（前記波長分割多重光の送信元に対向するそれぞれの）前記光送受信装置に結合する合分波装置と、を備える。
【００１２】
さらに、本発明に係る光通信方法は、広帯域な光から特定のスペクトルを中心に所定のスペクトル幅にスペクトルスライス光として切り出すスペクトルを含む光を送信信号で変調し、前記特定のスペクトルを中心に所定のスペクトル幅にスペクトルスライス光として切り出すスペクトルを含む光は、前記スペクトル幅以下の周期で繰り返す送信透過特性で濾波した送信信号光であり、互いにスペクトルが異なる複数の前記送信信号光を伝送路に合波するとともに、前記伝送路を伝搬してきた前記送信信号光の少なくとも前記スペクトル幅の範囲で相補関係にある波長分割多重光を、互いにスペクトルが異なる複数の受信信号光に分波し、それぞれの前記受信信号光を前記送信透過特性と相補関係にある受信透過特性で濾波した後に検波して受信信号を再生する。
【００１３】
本光送受信装置は、スペクトルスライス光をさらに周期的にスライスし、上下方向で利用するスペクトルスライス光を相補的な光強度でスライスした一群の信号光とするスペクトルインターリーブデュプレックスでの通信を実現している。光通信システムに本光送受信装置のようなスペクトルインターリーブを採用することで、上下通信方向で必要なスペクトル半値全幅を縮小することができる。
【００１４】
従って、本発明は、スペクトルスライス光を用いた波長分割多重伝送において、スペクトル利用効率を高めることが可能な光送受信装置、光通信システム及び光通信方法を提供することができる。
【００１５】
本発明に係る光送受信装置、光通信システム及び光通信方法は、前記受信透過特性で濾波した出力に加え前記送信透過特性で濾波した出力を別途出力し、前記受信透過特性で濾波した出力と前記送信透過特性で濾波した出力をそれぞれ検波し、前記受信透過特性で濾波した出力を検波した信号から位相及び強度を調整した前記送信透過特性で濾波した出力を検波した信号を減ずることで、前記受信透過特性で濾波した出力を検波した信号に含まれる前記送信信号光の反射成分、前記送信信号光の反射と前記受信信号光とのビート成分、又は前記反射成分と前記ビート成分の組合せの強度を減ずることを特徴とする。
【００１６】
受信側で、受信透過特性の濾波器を透過した透過光強度の値から、それと相補的な透過特性を持つ送信透過特性の濾波器を透過した透過光強度に特定の値を乗じた値を減ずる。特定の値は、例えば、受信信号光の強度に対する送信信号光の反射の強度の比又は受信信号光の強度に対する受信信号光と送信信号光の反射とのビート雑音強度の比のいずれか又はその組合せである。本発明は、受信光を受信する際の反射耐性を向上することができる。
【００１７】
本発明に係る光送受信装置、光通信システム及び光通信方法は、前記送信信号光を出力した後、前記送信信号光の反射光を受信するまでの反射時間だけ前の前記送信信号光の反射の光強度の比に対応する係数を乗した送信信号を、検波した出力から減算することを特徴とする。
【００１８】
本発明は、送信信号光を送信してからその反射光が戻ってくるまでの時間だけ前の送信信号光の反射の強度を、濾波器を透過した透過光の強度から減ずること、又は送信信号光を送信してからその反射光が戻ってくるまでの時間だけ前の送信信号光の反射と現在の受信信号光とのビート雑音強度を、濾波器を透過した透過光の強度から減ずることで、受信信号光を受信する際の反射耐性を向上することができる。
【００１９】
本発明に係る他の光通信システムは、広帯域な光から特定のスペクトルを中心に所定のスペクトル幅にスペクトルスライス光として切り出すスペクトルを含む光を送信信号で変調する光変調器と、前記スペクトルスライス光として切り出すスペクトルを含む光を、前記スペクトル幅以下の周期で繰り返す送信透過特性で濾波する濾波器と、前記濾波器で濾波された前記受信信号光を検波して受信信号を再生する検波器と、を備える。
【００２０】
本発明に係る他の光通信システムは、従来の光通信システムに比べて半分のスペクトルで伝送することができるのでスペクトル利用効率を高めることができる。従って、本発明は、スペクトルスライス光を用いたＷＤＭ伝送方式において、スペクトル利用効率を高めることが可能な光通信システムを提供することができる。
【発明の効果】
【００２１】
本発明は、スペクトルスライス光を用いたＷＤＭ伝送方式において、スペクトル利用効率を高めることが可能な光送受信装置、光通信システム及び光通信方法を提供することができる。
【図面の簡単な説明】
【００２２】
【図１】スペクトルスライス光を用いた光通信システムを説明する図である。
【図２】本発明に係る光通信システムを説明する図である。
【図３】本発明に係る光通信システムを説明する図である。
【図４】本発明に係る光送受信装置を説明する図である。
【図５】本発明に係る光送受信装置を説明する図である。
【図６】本発明に係る光送受信装置を説明する図である。
【図７】本発明に係る濾波器の濾波特性を説明する図である。
【図８】本発明に係る濾波器の透過光強度とビート雑音強度を説明する図である。
【図９】本発明に係る送信信号光の反射の強度に対する減衰器の減衰量の設定と信号強度を説明する図である。
【図１０】上り信号光と下り信号光とのスペクトル上の関係を説明する図である。
【図１１】従来と本発明のビート雑音強度を説明する図である。
【図１２】本発明に係る光通信システムの検証系の構成を説明する図である。
【図１３】本発明に係る光通信システムの検証系での検証結果を説明する図である。
【発明を実施するための形態】
【００２３】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２４】
（実施形態１）
図２は、実施形態１の光通信システムを説明する図である。本光通信システムは、広帯域な光から特定のスペクトルを中心に所定のスペクトル幅にスペクトルスライス光として切り出すスペクトルを含む光を送信信号で変調する光変調器を有する送信機１１と、前記スペクトルスライス光として切り出すスペクトルを含む光を、前記スペクトル幅以下の周期で繰り返す送信透過特性で濾波する濾波器２１と、濾波器２１で濾波された信号光を検波して受信信号を再生する検波器を有する受信機１６と、を備える。
【００２５】
本光通信システムは、広帯域な光、例えばＡＳＥ光を光信号として送信する複数の送信機１１と、光信号を伝送する伝送路１２と、伝送路１２を介して到着する複数の送信機１１からの光信号を光送信機毎に異なる波長を中心としてそのスペクトルをスライスして合波する合分波器１３と、合分波器１３で合波した波長分割多重信号を伝送する伝送路１４と、伝送路１４を介して伝送された波長分割多重信号をそれぞれ周期的にスライスする濾波器２１と、濾波器２１でスライスした波長分割多重信号を分波する合分波器１５と、合分波器１５により分波された各信号を受信する複数の受信機１６を備える。合分波器は例えばＡＷＧである。以下では合分波器をＡＷＧとして説明する場合がある。
【００２６】
図１の光通信システムと図２の光通信システムとの違いは、各波長分割多重信号を周期的にスライスする濾波器２１の付与にある。このような濾波器２１として、繰返し周期（ＦＳＲ：Ｆｒｅｅ  Ｓｐｅｃｔｒｕｍ  Ｒａｎｇｅ）がスペクトルスライス光信号のスペクトル半値全幅に対して十分小さく、各透過スペクトルの半値全幅が、伝送する信号帯域以上であるマッハツエンダ干渉計（ＭＺＩ）やファブリーペロー干渉計を用いることができる。
【００２７】
なお、濾波器２１がＭＺＩの場合、ＦＳＲは透過スペクトルの半値幅となる。なおＦＳＲの用語は、合分波器として用いるＡＷＧでも使用するがＡＷＧの場合、ＦＳＲは同一のポートからの出力される透過スペクトルの間隔である。ＡＷＧでは透過スペクトルの半値幅は、通常ＦＳＲと比べて十分小さい。例えば、透過スペクトルの半値幅が６０ＧＨｚ、各ポートからの出力スペクトル間隔が１００ＧＨｚ、ＦＳＲが１６００ＧＨｚなどである。
【００２８】
図２の光通信システムにおいて、濾波器２１は受信側の合分波器１５のよりも前の伝送路１４の中に配備しているが、伝送路１４の後の合分波器１５の前段に配備してもよいし、波長分割多重信号光とする前の合分波器１３より前段に配備してもよいし、送信機１１内の送信信号で変調する前の箇所に配備してもよいし、波長分割多重信号を分離した後の合分波器１５より後段かつ受信機１６の前段又は受信機１６の中に配備してもよい。送信機１１で送信信号によりデータ変調する前の光を濾波するように濾波器２１を配備することが、スライスした光の端のスペクトル部分の変調サイドバンドを切落とさないため、波形劣化を軽減する観点から望ましく、波長分割多重信号である図２の箇所等の合波器１３の後段から合分波器１５の前段までに濾波器２１を配備することが、複数の送信機で濾波器２１を共用できるため、濾波器２１の数を軽減する観点から望ましい。ここでデータ変調後の信号光を濾波する場合、濾波器２１の周期的な透過スペクトル幅は光信号の伝送帯域以上となる周期であるが、データ変調前の信号光を濾波する場合、光信号の伝送帯域以上でなくともよい。
【００２９】
図１の光通信システムと図２の光通信システムにおいて、ＡＳＥ同士のビート雑音について比較する。ここで、簡単のために、光信号は矩形状にスペクトル半値全幅Δｆでスペクトルスライスされ、濾波器２１は各光信号を２Ｎ個に矩形に周期的に分割し、一つおきに透過するものとする。濾波器２１が周期的に透過するスペクトル半値全幅Δｆ’はΔｆ／（２Ｎ）と表せる。ここで、濾波器２１による濾波の透過と遮断の周期はスペクトル半値幅の自然数Ｎ分の１とした。透過と遮断の周期で自然数分の１であるので、透過スペクトルの一群の実効的なスペクトル半値幅はΔｆ×（２Ｎ−１）／（２Ｎ）となる。これは本発明の他の箇所の説明でも同様である。従って、図２のシステムでは、図１０の模式図の上り信号光又は下り信号光の一方のスペクトルに示すように、スペクトル幅Δｆのスペクトルスライスされた各信号光は、濾波器２１により周期的に細かくスライスした一群の信号光となる。なお、実施形態２の場合は上り信号光と下り信号光のスペクトルは相補的とする。
【００３０】
図１０に示すように、図２の光通信システムは、図１の光通信システムに比べて、半分のスペクトルしか使用していないことになる。信号光強度を同一とするため、図２の光通信システムは、単位スペクトル当たりの信号光強度は図１の光通信システムに比べて２０．５となる。
【００３１】
図１の光通信システムと図２の光通信システムの、受信機１６の電気帯域幅Ｂｅ内のＡＳＥ同士のビート雑音を、ビート雑音を生じる一方の光から見た際の模式図を図１１に示す。図１１の横方向はビート雑音を生ずる一方の光の光周波数を、縦方向はその光周波数の光が関与するビート雑音でＢｅ内の分の強度を示す。図１１に示すようにそれぞれのビート雑音の和はそれぞれ次式で示される。
（図１の光通信システム）
２ＢｅΔｆ−Ｂｅ２
（図２の光通信システム）
２ＢｅΔｆ―２ＮＢｅ２＝｛２（２ＢｅΔｆ’−Ｂｅ２）×Ｎ｝
ここで、濾波器２１が周期的に透過するスペクトル半値全幅Δｆ’を信号帯域とすると、信号のスペクトル半値全幅はΔｆ＝２ＮΔｆ’＝２Ｎ×（４／３）Ｂｅ＝（８／３）ＮＢｅとなり、それぞれ次式となる。
（図１の光通信システム）
２（８／３）ＮＢｅ２−Ｂｅ２＝｛（１６／３）Ｎ−１）｝Ｂｅ２
（図２の光通信システム）
２（８／３）ＮＢｅ２−２ＮＢｅ２＝（１０／３）ＮＢｅ２
従って、Ｎが十分大とすると、図２の光通信システムの雑音は、図１の光通信システムの雑音の１０／１６、即ち２ｄＢ軽減される。なお、ここでは濾波器２１による信号劣化は考慮していない。
以上示したように本伝送システムは、従来の光通信システムに比べて半分のスペクトルしか使用せずに伝送することができるので、スペクトル利用効率が高い効果がある。
【００３２】
なお、本光通信システムは、受信機側から対向する送信機に対して連続光（ＣＷ光）を供給するとしてもよい。なお、供給光を信号と同一のファイバで伝送し、かつ双方向通信する場合は、供給する側が送信し送信される側で受信する信号光のＯＮ／ＯＦＦ変調の両方の場合の強度がともにかさ上げされることになるので供給する側が送信し供給される側の受信機で受信する信号光の消光比が劣化するが、供給する側のＭＵＸ／ＤＭＵＸを透過した光の内で供給される側のＭＵＸ／ＤＭＵＸで廃棄されずに当該送信機のスペクトルスライス光としてＭＵＸ／ＤＭＵＸを通過する波長の光強度が増強する効果がある。信号と異なるファイバで供給光を伝送し、送受する信号光と相補的な濾波で供給光を供給するに使用できるポートを有する濾波器２１、例えばＭＺＩの場合は、信号光を送受する側以外の濾波器２１のポートを用いて供給することが望ましい。この場合でかつ双方向通信する場合は、供給された側で送信に使用するスペクトルの使用しないスペクトルに対する比が大きくなり、反射耐性が増大する効果がある。
【００３３】
以上の説明でＡＳＥ光を用いて例示を行ったが、ＭＵＸ／ＤＭＵＸを透過する単一の信号光のスペクトル幅以上広帯域かつ要求されるＳＮＲを満たすに十分な高強度の光源であればＳＬＤ（Ｓｕｐｅｒ  ｌｕｍｉｎｅｓｃｅｎｔ  Ｄｉｏｄｅ）等の他のインコヒーレント光源でも良いし、コヒーレント光源であってもよい。但し、コヒーレント光源を用いかつ光を送信側に供給し、かつ双方向通信する場合は、供給光と送信光の位相を揃えることが望ましい。
【００３４】
また濾波器２１のスペクトル特性が温度や印可電流等の変更によって変更できる濾波器である場合は、信号強度の最大化により調整するとしても良い。
【００３５】
更に、複数の送信機からの信号光を波長分割多重で合波し、波長分割多重した信号光を単一の伝送路で伝送し、波長毎に分割して受信しているが、送信機及び受信機の数は１から任意の数でよい。ここで、任意の数として、波長分割多重で合波、伝送、分波した後の信号のＳＮＲが信号の送受信に耐えうる値の範囲となる数以下であることが望ましい。また、複数の送信機及び受信器は同一の装置内に設置していても良いし、異なる装置に設置していても良い。送信機及び受信機の数が１の場合は合分波器１３と１５の一方又は両方を省略しても良い。
【００３６】
これらのことは以降の実施形態でも同様である。
【００３７】
（実施形態２）
図３は、実施形態２の光通信システムを説明する図である。本光通信システムは、双方向通信する。以下双方向通信の例として多対１の通信システムであるＰＯＮ（Ｐａｓｓｉｖｅ  Ｏｐｔｉｃａｌ  Ｎｅｔｗｏｒｋ）システムを例にとって説明するが、他の１対１の通信システムでも多対多の通信システムであっても同様である。本光通信システムは、加入者装置（ＯＮＵ：Ｏｐｔｉｃａｌ  Ｎｅｔｗｏｒｋ  Ｕｎｉｔ）としての複数の光送受信装置３１と、それぞれの光送受信装置３１から送信される送信信号光をスペクトルが異なる送信光として合波して波長分割多重光として伝送路５１に結合し、伝送路５１を伝搬してきた波長分割多重光を、光送受信装置３１毎にスペクトルが異なる受信信号光に分波してそれぞれ光送受信装置３１に結合する合分波装置３２と、を備える。さらに、本光通信システムは、光送受信装置３１を出力して合波された送信信号光を伝送路５１から受信し、伝送路５１へ波長多重光を送信する光送受信装置３１と対向する局側装置（ＯＬＴ：Ｏｐｔｉｃａｌ  Ｌｉｎｅ  Ｔｅｒｍｉｎａｌ）としての光送受信装置３３を備える。
【００３８】
光送受信装置３１は、送信器、受信器、及び濾波器２１を有する。受信器は、光送受信装置３３からの送信信号光を受信信号光として受信する。送信器は、光送受信装置３３へ送信信号光を図３に示されるように特定のスペクトルを中心に所定の幅で切り出すスペクトルを含む広帯域な光を送信信号で変調して送信する。濾波器２１は、送信器からの光をスペクトルスライスする際のスペクトル幅以下の周期で繰り返す送信透過特性で濾波してその光を対向する光送受信装置３３との間の伝送路５１に出力するとともに、伝送路５１を介して光送受信装置３３から受信した送信透過特性と相補関係にある濾波器を透過した光を送信透過特性と相補関係にある受信透過特性で濾波し、受信機に結合する。濾波器２１は図３及び図１０のスペクトルの模式図に例示するように、送信信号光と受信信号光を周期的に濾波する。それらの透過特性は相補関係にある。それぞれの透過特性をここでは送信透過特性と受信透過特性と呼ぶ。図３では濾波器２１の例としてＭＺＩにて示している。
【００３９】
光送受信装置３３は、濾波器６１、合分波器６２、合分波器６３、受信器６４及び送信器６５を有する。合分波器６２は伝送路５１を経由した各光送受信装置３１からの受信信号光を特定のスペクトルを中心に所定の幅で切り出して各受信機６４に結合する。受信器６４は、各光送受信装置３１からの送信信号光を受信信号光として受信する。送信器６５は、各光送受信装置３１で受信信号光として受信される送信信号光を図３及び図１０に示されるように特定のスペクトルを中心に所定の幅で切り出すスペクトルを含む広帯域な光を送信信号で変調して送信する。合分波器６３は、送信器６５からの受信光を合波する。濾波器６１は、合波された受信光を濾波して伝送路５１へ出力する。また、濾波器６１は、伝送路５１からの信号光を濾波し、合分波器６２へ結合する。濾波器６１の透過特性は濾波器２１の透過特性と同一であり、濾波器２１と送信透過特性と受信透過特性を入れ替えて使用する。合分波器６２は分波器であってもよく、合分波器６３は合波器であってもよい。
【００４０】
図１２は、図３の光通信システムにおいて濾波器２１としてＭＺＩを用いて、実施形態２を摸擬した構成での特性（パワーペナルティ）を検証した検証系の図である。ここでは送出信号光を上り信号光、受信信号光を下り信号光と呼ぶ。図１３は、その検証結果である。光増幅器で増幅した光を偏光ビームスプリッタ及び偏波コントローラで偏光状態を整え、外部変調器で１０Ｇｂｉｔ／ｓの変調信号で変調し、変調した信号光を光スプリッタで分岐し一方を下り信号光、他方を上り信号光とする。下り信号光は、ＭＺＩで所定の間隔にスライス（濾波）され、ＭＺＩの下り信号光が入力した伝送路側のポートと反対側の受信器側の二つのポートの内の一方のポートから出力し、受信器で受信される。上り信号光は受信器側のもう一つのポートからＭＺＩに入力され下り信号光と相補的なスペクトルでスライスされ下り信号光が入力した伝送路側のポートから模擬的な伝送路に上り信号光として出力される。模擬的な伝送路は反射のみ摸擬した。上り信号光は上り信号光の反射による影響を摸擬するために反射終端器で反射し、上り信号光の反射は下り信号光と同様にＭＺＩを介して下り信号光の受信機に入力する。図７は、上り信号光と下り信号光とのスペクトル上の関係を説明する図である。ポートＣに示すスペクトルが上り信号光（送信信号光）と下り信号光（受信信号光）のスペクトルスライス光を更に細かくスライスする時の一周期分のスペクトルを示している。ポートＢに示すスペクトルが濾波器２１の一周期分の受信透過特性と、濾波器２１を透過した一周期分の下り信号光（受信信号光）のスペクトルの例と、上り信号光（送信信号光）が伝送路中で反射した反射の一周期分のスペクトルの例である。
【００４１】
図１３のパワーペナルティはＭＺＩを使わない場合に対する劣化である。図１３に示すようにＭＺＩの透過帯域が１０ＧＨｚの場合を除くと、パワーペナルティは概ね１ｄＢである。このパワーペナルティを補償するために、１．２５倍のスペクトル幅でビット誤り率を比較した誤り率曲線を図中に示す。図に示すように、概ねペナルティは補償されている。
【００４２】
従って、双方向通信する場合、スペクトルスライス光をさらに周期的にスライスし、上下方向で利用するスペクトルスライス光を相補的な光強度でスライスした一群の信号光とするスペクトルインターリーブデュプレックスを実現すれば、本来一方の方向の倍の帯域が必要であるところを、１．２５倍の帯域で通信できるため、スペクトル利用効率を１．６（＝２／１．２５）倍に向上させることができることがわかる。
【００４３】
なお、この場合信号光間のガードインターバルがそれぞれ対向する光送受信装置間の上下の信号光の間で不要となるので、その分の効率も向上する。例えば３２光送受信装置で双方向通信する場合、６４信号光のスペクトル幅に６３ガードインターバル必要であったスペクトルが、１．２５倍の３２信号光のスペクトル幅に３１ガードインターバルとなる。ガードインターバルをデュプレックスしない場合の信号光のスペクトル幅の０．４とすると必要なスペクトル幅は６４×１＋６３×０．４＝８９．２が、３２×１．２５＋３１×０．４＝５２．４で、１．７（＝８９．２／５２．４）倍となる。
【００４４】
また濾波器２１のスペクトル特性が温度や印可電流等の変更によって変更できる濾波器である場合は、送信機側または受信機側の一方又は両方でその送信信号強度の最大化や受信信号強度の最大化や反射強度の最大化により調整するとしても良い。調整は、例えば濾波器の特性を信号と識別できる周期で変更し、変更したときの値を観測し、観測点が極値をとるようにする。観測点と調整点は受信機側と送信機側で異なっていてもよい。異なっている場合は、観測点から調整点に何らかの伝達手段、例えば観測点側の光送受信装置から調整点側の光送受信装置で伝送する送信信号等により、その最大化するための調整値を伝達すればよい。また最大化の観測は受信側で送信側及び受信側の濾波器のスペクトル特性が連動する場合又は相補的な関係を保持する場合は、一方向の信号光を用いて送信側又は受信側の一方の濾波器２１を調整するとしてもよい。図のように１つの濾波器と複数の濾波器が対向している場合は、複数側の濾波器の特性を調整する方が望ましい。
【００４５】
図４は、図３に示される光送受信装置３１の反射耐性を向上する光送受信装置３１を説明する図である。光送受信装置３１は、特定のスペクトルを中心に所定の幅で切り出すスペクトルを含む広帯域な光を送出する光源４１と光源４１の光を送信信号で変調する光変調器４２とを具備する送信器（図４の破線）と、合分岐器を介してポートＡに入力された光を、スペクトルスライスする際のスペクトル幅以下の周期で繰り返す送信透過特性で濾波した送信信号光として、ポートＣを介して対向する光送受信装置３３との間の伝送路５１に出力するとともに、ポートＣを介して対向する光送受信装置３３からの光を光送受信装置３３の送信信号光を濾波した濾波器６１の送信透過特性である濾波器２１の受信透過特性で濾波してポートＢに出力し、ポートＣを介して対向する光送受信装置３３からの光を濾波器２１の受信透過特性とスペクトルが相補関係にある濾波器２１の送信透過特性で濾波してポートＡに出力する濾波器２１と、ポートＣに入力された光を濾波器２１でポートＡを介して濾波された光を合分岐器と減衰器４５を介して検波する検波器４３とポートＢを介して濾波された光を検波する検波器４３と、二つの検波器４３の出力を加減算する加減算器４４を備える。
【００４６】
ここで送信透過特性はスペクトルスライス光のスペクトル幅以下の周期であることが望ましい。光源４１が直接変調できる光源である場合、光源４１は変調器４２を兼ねてもよい。減衰器４５は光を減衰する減衰器である代わりに、検波器４３の出力を加減算器４４で加減算する前又は加減算する際の電気信号を調整する減衰器であってもよい。なお減衰器が調整する減衰量が負の値の場合は、減衰器は増幅する増幅器となる。
【００４７】
減衰器４５は濾波器２１のポートＢを経由して検波した出力の内の光送受信装置３１の送信信号光の反射又は光送受信装置３１の送信信号光の反射と受信信号光のビートの一方又はその組合せを、濾波器２１のポートＡを経由して検波した出力の内の光送受信装置３１の送信信号光の反射又は光送受信装置３１の送信光の反射と受信信号光のビートの一方又はその組合せでもって加減算器４４で相殺する減衰量に調整する。
【００４８】
本例では、送信信号光と受信信号光で利用するスペクトルスライス光をそれぞれ相補的な透過特性でスライスした一群の信号光としている。光送受信装置３１は、光送受信装置３３からの送信信号光である受信信号光のスペクトルに応じた受信透過特性である濾波器２１のポートＢからの透過光強度の値から、それと相補的な送信透過特性である濾波器２１のポートＡからの透過光強度に特定の値を乗じた値を減じ、受信信号を得る。
【００４９】
光変調器４２は、光源４１が出力する広帯域な光を送信信号に応じて変調する。光変調器４２は、その信号光を、ポートＣに対する出力がポートＡとポートＢの間で互いに相補的で周期的な透過特性で濾波する濾波器２１のポートＡに入力する。濾波器２１は、入力された信号光を濾波し、送信信号光としてポートＣから出力する。図４の濾波器２１は、ＭＺＩで例示しているが、信号光を同様の透過特性で濾波する濾波器であれば他の濾波器でも良い。
【００５０】
伝送路５１からの波長分割多重光を合分波器３２が分波した受信信号光が濾波器２１のポートＣに入力される。濾波器２１のポートＢの出力はそのまま検波器４３で検波される。一方、濾波器２１のポートＡの出力はポートＡの入出力を光変調器と減衰器４５に合分岐する合分岐器と減衰器４５を介して減衰器４５で減衰した後で、検波器４３で検波される。加減算器４４は、ポートＢの出力を検波した信号からポートＡの出力を検波した信号を減ずる。
【００５１】
ここで減衰器４５は検波前に光を減衰しているが、検波した信号同士を減算するより前段且つ検波器４３の後段に配置してもよい。減衰器４５は、自光送受信装置３１又は他の光送受信装置３１からの送信信号光が伝送路５１又は光送受信装置３３等で反射して戻ってくる反射の検波後の強度又は送信信号光の反射と受信信号光のビート成分の一方又はその組合せが、濾波器２１のポートＡ側の検波器４３とポートＢ側の検波器４３との出力が均衡するように減衰量を調整する。従って均衡するにポートＡの出力の減衰がポートＢの出力の減衰よりも甚だしいときは、均衡するように減衰器４５を利得器として用いるかポートＢ側に元帥を与える構成としてもよいことは明らかであり、以降の説明でも同様である。
【００５２】
図７から図９は、減衰器４５の減衰量の調整を説明する図である。図７から図９は、濾波器２１がＭＺＩである場合を説明している。図７のポートＣのスペクトルが送信信号光と受信信号光の１周期分のスペクトルである。ポートＢのスペクトルが濾波器２１の１周期分の受信透過特性とポートＢから出力する受信透過特性で濾波した受信信号光の１周期分のスペクトルと受信透過特性で濾波した送信信号光の反射の１周期分のスペクトルである。ポートＡのスペクトルが濾波器２１の１周期分の送信透過特性とポートＡから出力する送信透過特性で濾波した受信信号光の１周期分のスペクトルと送信透過特性で濾波した送信信号光の反射の１周期分のスペクトルである。この図７に即して、ポートＡとポートＢでの受信信号光と送信信号光の反射の出力強度と受信信号光と送信信号光の反射の間のビートをまとめたものが図８である。ここで図８ではポートＡに入力する送信信号光とポートＡから出力する信号光を合分岐する合分岐器や光サーキュレータ等の損失を無視しているがその損失分だけポートＡの受信信号光及び送信信号光の反射が減衰すると補正すればよい。これは以降の説明でも同様である。図８に示すように光送受信装置３１の受信した受信信号光のポートＢの出力強度を０．３７６とすると、ポートＡの出力は０．１２６、光送受信装置３１が送信した送信信号光の反射のポートＢでの出力は０．３７６α、光送受信装置３１が送信した送信信号光の反射のポートＡでの出力は１２６αとなる。ここでαはポートＡに入力する送信信号光とポートＡから出力する信号光を合分岐する合分岐器や光サーキュレータ等の減衰量を加味した送信信号光全体の反射減衰量であり、ポートＣを出力する時点での光送受信装置３１の送信信号光とポートＣに入力する時点での光送受信装置３１の受信信号光の強度は等しいとした。これらの強度が異なる場合は、その比を加味してαを設定すれば同様である。例えば、送信信号光が受信信号光よりも強ければαをその比で大きくし、弱ければその比で小さくすればよい。減衰器の減衰量はポートＡとポートＢにそれぞれ出力する送信信号光の反射の強度が均衡するように調整する。例えば、送信信号光の反射のみを考慮すれば、ポートＢの出力からポートＡの出力に０．１２６／０．３７６を乗じた出力を減ずればよい。ここで、他の光送受信装置３１の出力する送信光は自光送受信装置３１と同一の周期的な送信透過特性の濾波器２１で同様に濾波されたスペクトルである。合分波器１３の下に合分岐器を介して複数の光送受信装置３１からの光を合分波器１３で同一のスペクトルスライス光としてスライスされる光を時分割多重で送受信しているとしてもよい。ここで、同様としているのは送信光の中心波長がずれていてもよいことを意味する。なお、濾波器２１の受信透過特性と光送受信装置３３が光送受信装置３１へ出力する側の濾波器６１の送信透過特性は合致している。
【００５３】
なお、減衰器４５の減衰量を加減算器４４で反射光に対応する成分が相殺するように設定したが、反射光−受信光のビート雑音が大きい場合は、それを加味して相殺するように設定することが望ましい。例えば、受信信号光の強度がポートＢで０．３７６、ポートＡで０．１２６、送信信号光の反射の強度がポートＢで０．１２６×０．０００６３１、ポートＡで０．３７６×０．０００６３１とする。ここで、反射光の強度を反射減衰量−３２ｄＢとして計算している。このとき、受信信号光と送信信号光の反射の偏波が一致し、光源がインコヒーレント光源であると想定する。インコヒーレント光源の場合、ポートＡ及びポートＢでの反射光−受信光のビート雑音は平均化されるため、
１／２×２×（０．１２６）０．５×（０．３７６×０．０００６３１）０．５
＝１／２×２×（０．３７６）０．５×（０．１２６×０．０００６３１）０．５
＝０．００５４６８
である。この時反射光強度はポートＢで０．００００８、ポートＡで０．０００２であるので、反射信号光−受信信号光のビート雑音は、反射光強度に比べて十分大きい。この場合は反射信号光−受信信号光のビート雑音が相殺するように減衰量を設定するのが望ましい。
【００５４】
一般的には、受信信号光と送信信号光の反射の偏波が一致し、光源がインコヒーレント光源である場合のビート雑音強度は図８に示すように、ポートＡで
０．５×２×（０．３７６）０．５×（０．１２６α）０．５、
ポートＢで
０．５×２×（０．１２６α）０．５×（０．３７６）０．５
となる。ここで、αは反射減衰量、βはポートＡ側の減衰器等による減衰量である。受信信号光−送信信号光の反射の間ビート雑音の計算は、両方のスペクトルが一様、かつ位相差も一様で、全ビート雑音が受信帯域に収まると仮定した。この仮定により各ポートにおけるビート雑音強度は、その最大強度の半分となる。このとき、加減算器で加減算した後の信号出力は
｛０．３７６＋０．１２６α＋（０．３７６×０．１２６α）０．５｝−β｛０．１２６＋０．３７６α＋（０．３７６α×０．１２６）０．５｝となる。反射による雑音を最小化するβの値とその際の加減算器で加減算した後の信号強度を図９に示す。
【００５５】
なお、偏波は受信信号光と送信信号光の反射で一致するとしたが、一致せずにビート雑音がそれに応じて変化する場合は反射光自体の成分とビート雑音の成分の強度比が変わるので、その強度比に応じて反射光自体の成分とビート雑音による成分の和が最小となるように減衰量を調整する。
【００５６】
また、光源がコヒーレント光源であり、送信光と受信光の位相関係が両ポートで同様である場合は、位相関係によっても反射光自体の成分とビート雑音の成分の強度比が変わるので、その強度比に応じて反射光自体の成分とビート雑音による成分の和が最小となるように減衰量を調整する。
【００５７】
更に、両ポートで位相関係が異なる場合は、その位相関係も加味して、反射光自体の成分とビート雑音による成分の和が最小となるように減衰量を調整するのが望ましい。
【００５８】
図５は、他の実施形態の光送受信装置３１’を説明する図である。光送受信装置３１’と図４の光送受信装置３１との違いは、送信信号の位相を調整して検波器４３の出力から減算している点である。この構成は、例えば自光送受信装置３１’内の濾波器２１に入力する以前で反射があり、その反射が検波器４３に入力される場合は、図５のように送信信号の強度と位相を減衰器４６及び位相調整器４８で調整した信号を、加減算器４７でポートＡからの信号光を検波した信号から減ずることで、除去することができる。濾波器２１に入力する前段での反射は、濾波器２１のポートＡとポートＢから出力されないため、図４の構成で両ポートの出力を用いて減ずることができないのを本構成では減ずることができる効果がある。
【００５９】
（実施形態３）
本実施形態と実施形態２との違いは、光変調器４３が、濾波器２１が送信光を出力した後、送信信号光の反射を受信するまでの反射時間だけ前の送信信号光の反射の光強度相当、あるいは、送信信号光の反射を受信するまでの反射時間だけ前の送信信号光の反射と現在受信中の受信光とのビート雑音強度分の一方或いはその組合せを受信光から減ずることである。
【００６０】
図６に本実施形態の受信機構成を示す。光送受信装置３１’’と図４の光送受信装置３１との違いは、ポートＡに接続する合分岐器と減衰器４５と検波器４３の代わりに、送信信号の位相と強度を調整した出力を検波器４３の出力から減算している点である。この構成は送信信号光の反射が自光送受信装置３１’’の送信機のみに起因する場合に適する。減算する出力の位相は、送信した信号が反射して検波器に戻るまでの遅延時間だけ位相を遅延させ、その反射光強度と反射光と受信信号光の位相に応じて、加減算後の反射光の成分と反射光と受信信号光とのビート成分を最小化するようにその出力を調整する。送信信号の強度と位相を減衰器４６及び位相調整器４８で調整した信号を、加減算器４７でポートＡからの信号光を検波した信号から減ずることで、除去することができる。
【００６１】
なお、実施形態２の図５で解消した自光送受信装置３１’’内の濾波器２１に入力する以前で反射がある場合は、伝送路５１での反射の除去に加えて、同様の除去を行ってもよい。その場合、濾波器２１に入力する以前で反射と伝送路２１での反射のそれぞれを除去するようにそれぞれに対応した減衰器４６と位相調整器４８を複数具備していてもよい。反射点が複数ある場合は、そのそれぞれに対応する減衰器４６と位相調整器４８を具備していてもよい。
【００６２】
なお、光送受信装置３３に自光送受信装置３１の受信透過特性に同調する同調器（不図示）を具備してもよい。例えば、信号光のビット時間が、光信号が伝送路を往復するに要する伝搬時間に比べて充分小さいときの動作について示す。自光送受信装置３１から送信光が伝送路５１に対して出力されず、自光送受信装置３１からの反射光が無いタイミングを抽出する。ここで、光速がＣ、伝送信号の伝送速度がＢ、伝送路５１の屈折率がｎ、伝送路５１の長さがＬとすると、自光送受信装置３１の送信光が反射して戻ってくる最長時間は（２×ｎ×Ｌ／Ｃ）である。したがって、データの値がスペース（ここでは強度変調であり、送信光強度が最低となる符号）となり、データの値がマークからスペースに変化して、最後のマークに対する自送受信装置３１の送信信号光の反射が戻ってくる最長時間（２×ｎ×Ｌ／Ｃ）が経過したときをタイミングの開始とし、信号がスペースからマークに変化して自送受信装置３１の信号光が出力される直前までをタイミングの終了とする。本実施形態のタイミングにおいては、自送受信装置３１の送信信号光による反射が無いため、減算後の出力が最大となるように濾波器２１の受信透過特性を調整する。信号光のビット時間が、光信号が伝送路５１を往復するに要する伝搬時間に比べて充分小さくないときの動作は、送信する信号をスペースに強制的に変更して調整してもよい。
【００６３】
本実施形態では、反射光の元となる送信信号光を送信してから戻ってくるまでの時間だけ前のデータに反射強度を乗じたもの又は当該データでの反射に現在の受信中のデータでの受信信号光とのビート雑音強度に応じて減ずる。本実施形態は、実施形態２に比べて検波器４３が２台必要でないため、安価な構成となる。
【００６４】
本実施形態及び実施形態２で示した図４−６に示す反射耐性を向上する構成は光送受信装置３１にて説明したが、同様の構成を光送受信装置３３で実現できることは明らかである。例えば、光源４１と光変調器４２で示される送信器の代わりに送信器６５とし、減衰器４５、検波器４３、加減算器４４、加減算器４７、伝送路５１を経てポートＡからの光を分岐して一方の検波器４３に入力する合分岐器で示される受信器の代わりに受信器６４とし、濾波器２１の代わりに濾波器６１として、濾波器６１と各送信器６５、濾波器６１各受信器６４との間に合分波器６２と合分波器６３をそれぞれ挿入すればよい。または合分波器６２と合分波器６３を兼ねて単一の合分波器に入れかえ、その合分波器の各入出力をそれぞれ個別の濾波器６１を介して送信器６５と受信器６４に接続してもよい。この場合の合分波器は合波器や分波器で代替えすることはできない。またこの合分波器のそれぞれの送信器６５と受信器６４に接続するポートの透過スペクトルは元の合分波器６２と合分波器６３の透過スペクトルと同様であるのは明らかである。
【００６５】
なお、実施形態２は、送信光によらずに反射光を除去することができるので、複数の反射端からの反射が想定されるＰＯＮの光送受信装置３３側の受信機に適用することが望ましい。また、本実施形態は、低コストが要求される光送受信装置３１の受信機に適用するのが望ましい。
【符号の説明】
【００６６】
１１：送信機
１２：伝送路
１３：合分波器
１４：伝送路
１５：合分波器
１６：受信器
２１：濾波器
３１、３１’：光送受信装置（ＯＮＵ）
３２：合分波器
３３：光送受信装置（ＯＬＴ）
４１：光源
４２：光変調器
４３：検波器
４４：加減算器
４５：減衰器
４６：減衰器
４７：加減算器
４８：位相調整器
５１：伝送路
【図１】
0005504074.tif 000002
【図２】
0005504074.tif 000003
【図３】
0005504074.tif 000004
【図４】
0005504074.tif 000005
【図５】
0005504074.tif 000006
【図６】
0005504074.tif 000007
【図７】
0005504074.tif 000008
【図８】
0005504074.tif 000009
【図９】
0005504074.tif 000010
【図１０】
0005504074.tif 000011
【図１１】
0005504074.tif 000012
【図１２】
0005504074.tif 000013
【図１３】
0005504074.tif 000014